(57)【特許請求の範囲】
【請求項１】
物体側より順に、負パワーを有する第１群と、正パワーを有する第２群と、負パワーを有する第３群と、正パワーを有する第４群と、負パワーを有する第５群と、正パワーを有する第６群と、から成り、各群間隔を変化させることにより変倍を行うズームレンズであって、前記第５群を像側に移動させることにより近距離物体へのフォーカシングを行い、前記第５群が以下の条件式（１）を満たす単レンズから成ることを特徴とするズームレンズ；
０．２＜（ＣＲ１−ＣＲ２）／（ＣＲ１＋ＣＲ２）＜０．４  …（１）
ただし、
ＣＲ１：物体側面の曲率半径、
ＣＲ２：像側面の曲率半径、
である。
【請求項２】
以下の条件式（２）を満たすことを特徴とする請求項１記載のズームレンズ；
２．５＜ｆ５／ｆ１＜６  …（２）
ただし、
ｆ５：第５群の焦点距離、
ｆ１：第１群の焦点距離、
である。
【請求項３】
以下の条件式（４）を満たすことを特徴とする請求項１又は２記載のズームレンズ；
−２．５＜ｆ２＿４ｗ／ｆ１＜−１．６  …（４）
ただし、
ｆ２＿４ｗ：ワイド端における第２群から第４群までの合成焦点距離、
ｆ１：第１群の焦点距離、
である。
【請求項４】
前記第２群と前記第４群とが、ズーミング中間隔を一定の状態に保ちながら移動することを特徴とする請求項１〜３のいずれか１項に記載のズームレンズ。
【請求項５】
前記第２群の像側に絞りを有し、前記絞りがズーミング中第２群と一体に移動することを特徴とする請求項１〜４のいずれか１項に記載のズームレンズ。
【請求項６】
デジタルカメラ用の交換レンズであることを特徴とする請求項１〜５のいずれか１項に記載のズームレンズ。
【請求項７】
請求項１〜６のいずれか１項に記載のズームレンズと、受光面上に形成された光学像を電気的な信号に変換する撮像素子と、を備え、前記撮像素子の受光面上に被写体の光学像が形成されるように前記ズームレンズが設けられていることを特徴とする撮像光学装置。
【請求項８】
請求項７記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明はズームレンズ，撮像光学装置及びデジタル機器に関するものである。例えば、被写体の映像を撮像素子（例えば、ＣＣＤ（Charge Coupled Device）型イメージセンサ，ＣＭＯＳ（Complementary Metal-Oxide Semiconductor）型イメージセンサ等の固体撮像素子）で取り込むレンズ交換式デジタルカメラに適した大口径でコンパクトな広角ズームレンズと、そのズームレンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年のレンズ交換式カメラではデジタルカメラが一般的になっており、さらにオートフォーカスによる静止画撮影だけではなく、動画撮影等も可能となっている。動画撮影時には音声も同時に記録されるため、カメラやレンズからの作動音を極力抑える必要がある。レンズ側の作動音として問題となるのは  フォーカスや手振れ補正のために用いられるアクチュエーターの作動音である。したがって静音化を図る必要があるが、アクチュエーターの作動音を低減するためには  フォーカスで移動するレンズ群（すなわちフォーカス群）のより一層の軽量化が撮影レンズの設計に求められる。
【０００３】
交換レンズ用の大口径広角ズームレンズとしては、負正負正のパワー配置を有するレンズタイプが一般的に知られている（例えば、特許文献１，２参照。）。このようなズームタイプのフォーカス方法としては、負の第１群全体の移動によりフォーカシングを行うものが一般的であるが、特許文献１記載のズームレンズでは第２群を２つに分割して移動させることによりフォーカシングを行い、特許文献２記載のズームレンズでは第１群を２つに分割して移動させることによりフォーカシングを行う方法を採用している。また、負正負正負正の６群から成る標準ズームレンズとして、第５群の移動によりフォーカシングを行うものが特許文献３で提案されている。
【先行技術文献】
【特許文献】
【０００４】
【特許文献１】特開２０００−２２１３９９号公報
【特許文献２】特開２００２−３１１３３０号公報
【特許文献３】特開２００４−１９８５２９号公報
【発明の概要】
【発明が解決しようとする課題】
【０００５】
特許文献１，２記載のズームレンズでは、いずれもフォーカス群の軽量化が不十分である。また、特許文献３記載のズームレンズでは、フォーカス群が接合レンズで構成されているため軽量化が困難であり、しかも広角域をカバーしていない。
【０００６】
本発明はこのような状況に鑑みてなされたものであって、その目的は、広角・大口径であってフォーカス群が軽量化された小型で高性能なズームレンズ，それを備えた撮像光学装置及びデジタル機器を提供することにある。
【課題を解決するための手段】
【０００７】
上記目的を達成するために、第１の発明のズームレンズは、物体側より順に、負パワーを有する第１群と、正パワーを有する第２群と、負パワーを有する第３群と、正パワーを有する第４群と、負パワーを有する第５群と、正パワーを有する第６群と、から成り、各群間隔を変化させることにより変倍を行うズームレンズであって、前記第５群を像側に移動させることにより近距離物体へのフォーカシングを行い、前記第５群が以下の条件式（１）を満たす単レンズから成ることを特徴とする。
０．２＜（ＣＲ１−ＣＲ２）／（ＣＲ１＋ＣＲ２）＜０．４  …（１）
ただし、
ＣＲ１：物体側面の曲率半径、
ＣＲ２：像側面の曲率半径、
である。
【０００８】
第２の発明のズームレンズは、上記第１の発明において、以下の条件式（２）を満たすことを特徴とする。
２．５＜ｆ５／ｆ１＜６  …（２）
ただし、
ｆ５：第５群の焦点距離、
ｆ１：第１群の焦点距離、
である。
【０００９】
第３の発明のズームレンズは、上記第１又は第２の発明において、以下の条件式（４）を満たすことを特徴とする。
−２．５＜ｆ２＿４ｗ／ｆ１＜−１．６  …（４）
ただし、
ｆ２＿４ｗ：ワイド端における第２群から第４群までの合成焦点距離、
ｆ１：第１群の焦点距離、
である。
【００１０】
第４の発明のズームレンズは、上記第１〜第３のいずれか１つの発明において、前記第２群と前記第４群とが、ズーミング中間隔を一定の状態に保ちながら移動することを特徴とする。
【００１１】
第５の発明のズームレンズは、上記第１〜第４のいずれか１つの発明において、前記第２群の像側に絞りを有し、前記絞りがズーミング中第２群と一体に移動することを特徴とする。
【００１２】
第６の発明のズームレンズは、上記第１〜第５のいずれか１つの発明において、デジタルカメラ用の交換レンズであることを特徴とする。
【００１３】
第７の発明の撮像光学装置は、上記第１〜第６のいずれか１つの発明に係るズームレンズと、受光面上に形成された光学像を電気的な信号に変換する撮像素子と、を備え、前記撮像素子の受光面上に被写体の光学像が形成されるように前記ズームレンズが設けられていることを特徴とする。
【００１４】
第８の発明のデジタル機器は、上記第７の発明に係る撮像光学装置を備えることにより、被写体の静止画撮影，動画撮影のうちの少なくとも一方の機能が付加されたことを特徴とする。
【発明の効果】
【００１５】
本発明によれば、フォーカス群を軽量化するための単レンズ化に必要な条件が適切に設定された構成になっているため、フォーカス群の軽量化が可能であり、例えばフォーカスや手振れ補正のために用いられるアクチュエーターの作動音を低減して静音化を達成することが可能である。したがって、広角・大口径であってフォーカス群が軽量化されているにもかかわらず、小型で高性能なズームレンズ及び撮像光学装置を実現することができる。そして、その広角・大口径でコンパクトなズームレンズ又は撮像光学装置をデジタル機器（例えばデジタルカメラ）に用いることによって、デジタル機器に対して高性能の画像入力機能をコンパクトに付加することが可能となる。
【図面の簡単な説明】
【００１６】
【図１】第１の実施の形態（実施例１）の光学構成図。
【図２】実施例１の無限遠被写体に対する縦収差図。
【図３】実施例１の無限遠被写体に対するワイド端での横収差図。
【図４】実施例１の無限遠被写体に対する中間焦点距離状態での横収差図。
【図５】実施例１の無限遠被写体に対するテレ端での横収差図。
【図６】実施例１の最近接被写体に対する縦収差図。
【図７】実施例１の最近接被写体に対するワイド端での横収差図。
【図８】実施例１の最近接被写体に対する中間焦点距離状態での横収差図。
【図９】実施例１の最近接被写体に対するテレ端での横収差図。
【図１０】第２の実施の形態（実施例２）の光学構成図。
【図１１】実施例２の無限遠被写体に対する縦収差図。
【図１２】実施例２の無限遠被写体に対するワイド端での横収差図。
【図１３】実施例２の無限遠被写体に対する中間焦点距離状態での横収差図。
【図１４】実施例２の無限遠被写体に対するテレ端での横収差図。
【図１５】実施例２の最近接被写体に対する縦収差図。
【図１６】実施例２の最近接被写体に対するワイド端での横収差図。
【図１７】実施例２の最近接被写体に対する中間焦点距離状態での横収差図。
【図１８】実施例２の最近接被写体に対するテレ端での横収差図。
【図１９】第３の実施の形態（実施例３）の光学構成図。
【図２０】実施例３の無限遠被写体に対する縦収差図。
【図２１】実施例３の無限遠被写体に対するワイド端での横収差図。
【図２２】実施例３の無限遠被写体に対する中間焦点距離状態での横収差図。
【図２３】実施例３の無限遠被写体に対するテレ端での横収差図。
【図２４】実施例３の最近接被写体に対する縦収差図。
【図２５】実施例３の最近接被写体に対するワイド端での横収差図。
【図２６】実施例３の最近接被写体に対する中間焦点距離状態での横収差図。
【図２７】実施例３の最近接被写体に対するテレ端での横収差図。
【図２８】第４の実施の形態（実施例４）の光学構成図。
【図２９】実施例４の無限遠被写体に対する縦収差図。
【図３０】実施例４の無限遠被写体に対するワイド端での横収差図。
【図３１】実施例４の無限遠被写体に対する中間焦点距離状態での横収差図。
【図３２】実施例４の無限遠被写体に対するテレ端での横収差図。
【図３３】実施例４の最近接被写体に対する縦収差図。
【図３４】実施例４の最近接被写体に対するワイド端での横収差図。
【図３５】実施例４の最近接被写体に対する中間焦点距離状態での横収差図。
【図３６】実施例４の最近接被写体に対するテレ端での横収差図。
【図３７】第５の実施の形態（実施例５）の光学構成図。
【図３８】実施例５の無限遠被写体に対する縦収差図。
【図３９】実施例５の無限遠被写体に対するワイド端での横収差図。
【図４０】実施例５の無限遠被写体に対する中間焦点距離状態での横収差図。
【図４１】実施例５の無限遠被写体に対するテレ端での横収差図。
【図４２】実施例５の最近接被写体に対する縦収差図。
【図４３】実施例５の最近接被写体に対するワイド端での横収差図。
【図４４】実施例５の最近接被写体に対する中間焦点距離状態での横収差図。
【図４５】実施例５の最近接被写体に対するテレ端での横収差図。
【図４６】撮像光学装置を搭載したデジタル機器の概略構成例を示す模式図。
【発明を実施するための形態】
【００１７】
以下、本発明に係るズームレンズ，撮像光学装置及びデジタル機器を説明する。本発明に係るズームレンズは、物体側より順に、負パワーを有する第１群と、正パワーを有する第２群と、負パワーを有する第３群と、正パワーを有する第４群と、負パワーを有する第５群と、正パワーを有する第６群と、から成り、各群間隔を変化させることにより変倍を行うズームレンズであって、前記第５群を像側に移動させることにより近距離物体へのフォーカシングを行い、前記第５群が以下の条件式（１）を満たす単レンズから成ることを特徴としている（パワー：焦点距離の逆数で定義される量）。
０．２＜（ＣＲ１−ＣＲ２）／（ＣＲ１＋ＣＲ２）＜０．４  …（１）
ただし、
ＣＲ１：物体側面の曲率半径、
ＣＲ２：像側面の曲率半径、
である。
【００１８】
フォーカス群を軽量化するために、本発明に係るズームレンズでは、第５群を負の単レンズで構成し、第５群を像側に移動することによってフォーカシングを行う構成としている。一般的に、ズームレンズ系内のレンズ群を移動させることによりフォーカシングを行うと、フォーカス群の前後のレンズ群との倍率関係に変動が生じるため、収差変動が発生し易くなりその補正が課題となる。そのため、フォーカス群の前後の空気間隔での球面収差，コマ収差及び非点収差の誤差感度が小さくなるようにしておく必要がある。
【００１９】
本発明に係るズームレンズでは、条件式（１）を満たす単レンズでフォーカス群を構成することにより、フォーカス時の収差変動を少なくして良好な光学性能を達成する。そして条件式（１）は、フォーカス群である第５群を構成する負の単レンズの形状に関して、上記良好な光学性能を達成する上で好ましい条件範囲を規定している。条件式（１）の上限を越えると、像側面の曲率半径が小さくなりすぎて負の歪曲の発生が大きくなってしまい、その補正が困難になる。条件式（１）の下限を越えると、第５群で発生する非点収差が大きくなってしまい、その補正が困難になる。
【００２０】
上記特徴的構成によると、フォーカス群を軽量化するための単レンズ化に必要な条件が適切に設定された構成になっているため、フォーカス群の軽量化が可能であり、例えばフォーカスや手振れ補正のために用いられるアクチュエーターの作動音を低減して静音化を達成することが可能である。したがって、広角・大口径であってフォーカス群が軽量化されているにもかかわらず、小型で高性能なズームレンズ及び撮像光学装置を実現することができる。そのズームレンズ又は撮像光学装置をデジタルカメラ等のデジタル機器に用いれば、デジタル機器に対し高性能の画像入力機能を軽量・コンパクトに付加することが可能となり、デジタル機器のコンパクト化，低コスト化，高性能化，高機能化等に寄与することができる。また、本発明に係るズームレンズは、レンズ交換式デジタルカメラ用の交換レンズとして好適であるため、持ち運びに便利な軽量・小型の交換レンズを実現することができる。こういった効果をバランス良く得るとともに、更に高い光学性能，小型化等を達成するための条件等を以下に説明する。
【００２１】
以下の条件式（１ａ）を満足することが更に望ましい。
０．２５＜（ＣＲ１−ＣＲ２）／（ＣＲ１＋ＣＲ２）＜０．３５  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００２２】
以下の条件式（２）を満たすことが望ましい。
２．５＜ｆ５／ｆ１＜６  …（２）
ただし、
ｆ５：第５群の焦点距離、
ｆ１：第１群の焦点距離、
である。
【００２３】
条件式（２）は、第５群の好ましいパワー比を規定している。条件式（２）の下限を越えると、第５群のパワーが強くなるため近接側での像面変動が大きくなり、その補正が困難になる。条件式（２）の上限を越えると、第５群のパワーが弱くなるためフォーカス時の移動量が大きくなる。その結果、可動範囲を確保するためにズームレンズの全体的なパワーを強くする必要が生じ、そのとき発生する収差、特に第４群での球面収差の補正が困難になる。
【００２４】
以下の条件式（２ａ）を満足することが更に望ましい。
３．５＜ｆ５／ｆ１＜４．５  …（２ａ）
この条件式（２ａ）は、前記条件式（２）が規定している条件範囲のなかでも、前記観点等に基づいた更に好ましい条件範囲を規定している。したがって、好ましくは条件式（２ａ）を満たすことにより、上記効果をより一層大きくすることができる。
【００２５】
以下の条件式（３）を満たすことが望ましい。
０．０５＜｜ｍ５／ｍ４｜＜０．４  …（３）
ただし、
ｍ５：第５群のワイド端からテレ端へのズーム時の移動量、
ｍ４：第４群のワイド端からテレ端へのズーム時の移動量、
である。
【００２６】
条件式（３）は、ワイド端からテレ端へのズーミングにおける第５群の好ましい移動量を規定している。第５群のフォーカス駆動がモーター等の電気的な手段によることを想定した場合、第５群の移動量が大きくなると、ズーム時に第４群との干渉が生じるおそれがある。つまり、ズーミングを手動により行うことを想定した場合、第５群はモーターでフォーカス駆動するため、第５群が手動ズーム機構と連動していないと、手動による第５群のズーム移動量が大きい場合に第４群と第５群との干渉が生じるおそれがある。この干渉を回避するためには、第５群をモーター駆動と手動ズーム機構との両方で連動させる必要があり、これは機構設計の複雑化を招く原因となる。
【００２７】
第５群のズーム時の移動量を条件式（３）の範囲内に設定すれば、ズーム時の干渉を回避することが容易になる。条件式（３）の下限を越えると、第５群の移動量が少なくなるため、第５群の移動による像面湾曲補正が困難となる。条件式（３）の上限を越えると、第５群の移動量が大きくなりすぎて第４群とズーム時に干渉するため、連動機構を設ける必要が生じてくる。
【００２８】
以下の条件式（３ａ）を満足することが更に望ましい。
０．１＜｜ｍ５／ｍ４｜＜０．２  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００２９】
以下の条件式（４）を満たすことが望ましい。
−２．５＜ｆ２＿４ｗ／ｆ１＜−１．６  …（４）
ただし、
ｆ２＿４ｗ：ワイド端における第２群から第４群までの合成焦点距離、
ｆ１：第１群の焦点距離、
である。
【００３０】
条件式（４）は、第２群から第４群までのワイド端での合成パワーの比を規定している。つまり、本発明では主な変倍を第１群から第４群で行っており、その収差補正上望ましいパワー範囲を条件式（４）で規定している。条件式（４）の下限を越えると、第２群から第４群までの合成パワーが弱くなるため、全長が大きくなる傾向になる。全長の増大を抑えるには、第５群と第６群のパワーを強くする必要が生じるため、特に第６群で発生する非点収差の補正が困難になる。条件式（４）の上限を越えると、第２群から第４群までの合成パワーが強くなり、球面収差の発生が大きくなり過ぎて、その補正が困難になる。
【００３１】
以下の条件式（４ａ）を満足することが更に望ましい。
−２．１＜ｆ２＿４ｗ／ｆ１＜−１．７  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３２】
前記第２群と前記第４群とが、ズーミング中間隔を一定の状態に保ちながら移動することが望ましい。第２群と第４群は強い正のパワーを持ち、平行偏芯と傾き偏芯の感度が相対的に強くなる傾向にある。偏芯が生じると、特に軸外での像面位置の非対称性が生じるため、偏芯がなるべく小さくなるように鏡胴構成をとる必要がある。ズーム中に第２群と第４群との間隔が相対的に変化する構成では、鏡胴構成として第２群と第４群を別の部品で構成する必要があり、その相対偏芯を補償することには加工精度上かなりの困難が発生する。ズーム中に第２群と第４群とを一体に移動させれば、鏡胴構成としては一体の部品で構成することが可能となり、精度補正上好ましく、高性能な製品を提供することが可能となる。
【００３３】
前記第２群の像側に絞りを有し、前記絞りがズーミング中第２群と一体に移動することが望ましい。本発明に係るズームレンズは主に固体撮像素子を用いたカメラ用の撮像レンズを想定したものであるが、固体撮像素子への集光効率を上げるため、その前面にはマイクロレンズが用いられていることが多い。マイクロレンズの特性として、一定の瞳位置から入射されないと入射光がケラレたり、隣の画素に入射する等の問題が発生する。このため、通常固体撮像素子に用いる光学系では一定のテレセントリック性を持たせるように設計することが必要になる。テレセントリック性を確保するには、射出瞳位置をより物体側に設定する必要がある。後述する第１，第２，第４，第５の実施の形態（実施例１，２，４，５）のように、第２群の像側に絞りを配置すれば射出瞳位置を物体側に設定することが可能となる。
【００３４】
テレセントリック性を確保するためには、以下の条件式（５）を満たすことが更に望ましい。
−５．５＜ｆ６／ｆ１＜−１．８  …（５）
ただし、
ｆ６：第６群の焦点距離、
ｆ１：第１群の焦点距離、
である。
【００３５】
最終レンズ群が条件式（５）を満たすことにより、比較的短いレンズバックでありながら小型化を達成することが可能となる。条件式（５）の下限を越えると、第６群の正レンズのパワーが弱くなるため、テレセントリック性を確保するためにはレンズバックを長くする必要が生じる。結果として、第４群の正レンズのパワーが増大して、第４群で発生するズーム時の湾曲の変動を抑えることが困難になる。条件式（５）の上限を越えると、逆に第６群の正レンズのパワーが強くなりすぎて、適正なテレセントリック性を確保することが困難になる。
【００３６】
以下の条件式（５ａ）を満足することが更に望ましい。
−２．６＜ｆ６／ｆ１＜−２  …（５ａ）
この条件式（５ａ）は、前記条件式（５）が規定している条件範囲のなかでも、前記観点等に基づいた更に好ましい条件範囲を規定している。したがって、好ましくは条件式（５ａ）を満たすことにより、上記効果をより一層大きくすることができる。
【００３７】
さらに、第６群はズーム中固定であることが鏡胴構成上望ましい。第６群は最像側のレンズ群であるため、固定群であることが鏡胴構成上好ましい。交換レンズの鏡胴構成では、像側にはボディとのマウントや電気基板等がレイアウトされるため、機構構成を設置するスペースは限られている。第６群がより像側に近い場所にある方がテレセントリック性の補正のためには有効であり、そのためにはズーム中固定とする構成が望ましい。
【００３８】
本発明に係るズームレンズは、画像入力機能付きデジタル機器（例えば、デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成するズームレンズと、そのズームレンズにより形成された光学像を電気的な信号に変換する撮像素子と、を備えることにより構成される。そして、撮像素子の受光面（すなわち撮像面）上に被写体の光学像が形成されるように、前述した特徴的構成を有するズームレンズが配置されることにより、小型・低コストで高い性能を有する撮像光学装置やそれを備えたデジタル機器を実現することができる。
【００３９】
画像入力機能付きデジタル機器の例としては、デジタルカメラ，ビデオカメラ，監視カメラ，車載カメラ，テレビ電話用カメラ等のカメラが挙げられ、また、パーソナルコンピュータ，携帯端末（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４０】
図４６に、画像入力機能を有するデジタル機器ＤＵの概略構成例を模式的断面で示す。図４６に示すデジタル機器ＤＵに搭載されている撮像光学装置ＬＵは、物体（すなわち被写体）側から順に、物体の光学像（像面）ＩＭを変倍可能に形成するズームレンズＺＬ（ＡＸ：光軸）と、平行平面板ＰＴ（撮像素子ＳＲのカバーガラス；必要に応じて配置される光学的ローパスフィルター，赤外カットフィルター等の光学フィルター等に相当する。）と、ズームレンズＺＬにより受光面ＳＳ上に形成された光学像ＩＭを電気的な信号に変換する撮像素子ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱自在又は回動自在に構成することが可能である。
【００４１】
撮像素子ＳＲとしては、例えば複数の画素を有するＣＣＤ型イメージセンサ，ＣＭＯＳ型イメージセンサ等の固体撮像素子が用いられる。ズームレンズＺＬは、撮像素子ＳＲの光電変換部である受光面ＳＳ上に被写体の光学像ＩＭが形成されるように設けられているので、ズームレンズＺＬによって形成された光学像ＩＭは、撮像素子ＳＲによって電気的な信号に変換される。
【００４２】
デジタル機器ＤＵは、撮像光学装置ＬＵの他に、信号処理部１，制御部２，メモリ３，操作部４，表示部５等を備えている。撮像素子ＳＲで生成した信号は、信号処理部１で所定のデジタル画像処理や画像圧縮処理等が必要に応じて施され、デジタル映像信号としてメモリ３（半導体メモリ，光ディスク等）に記録されたり、場合によってはケーブルを介したり赤外線信号等に変換されたりして他の機器に伝送される（例えば携帯電話の通信機能）。制御部２はマイクロコンピュータから成っており、撮影機能（静止画撮影機能，動画撮影機能等），画像再生機能等の機能の制御；ズーミング，フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリ３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４３】
ズームレンズＺＬは、負正負正負正の６群から成る大口径・超広角のズーム構成になっている。また、各群がそれぞれ光軸ＡＸに沿って移動して各群間隔を変化させることにより変倍（すなわちズーミング）を行い、第５群が光軸ＡＸに沿って移動することによりフォーカシングを行い（近距離物体へのフォーカシングを第５群の像側への移動により行う。）、撮像素子ＳＲの受光面ＳＳ上に光学像ＩＭを形成する構成になっている。
【００４４】
ここで、第１〜第５の実施の形態を挙げて、ズームレンズＺＬの具体的な光学構成を更に詳しく説明する。図１，図１０，図１９，図２８，図３７は、第１〜第５の実施の形態を構成するズームレンズＺＬにそれぞれ対応するレンズ構成図であり、ワイド端（Ｗ）及びテレ端（Ｔ）でのレンズ配置を光学断面で示している。レンズ構成図中の矢印ｍ１，ｍ２，ｍ３，ｍ４，ｍ５，ｍ６は、ワイド端（Ｗ）からテレ端（Ｔ）へのズーミングにおける第１群Ｇｒ１，第２群Ｇｒ２，第３群Ｇｒ３，第４群Ｇｒ４，第５群Ｇｒ５，第６群Ｇｒ６の移動をそれぞれ模式的に示している。
【００４５】
第１〜第５の実施の形態（図１，図１０，図１９，図２８，図３７）では、第１群Ｇｒ１〜第５群Ｇｒ５が移動群であり、第６群Ｇｒ６が固定群である。したがって、ズーミングにおいて第１群Ｇｒ１〜第５群Ｇｒ５が移動し、第６群Ｇｒ６はズーム位置固定である。ただし、第２群Ｇｒ２と第４群Ｇｒ４はズーミング中一体に移動し、それとは独立して第３群Ｇｒ３が移動する。
【００４６】
第５群Ｇｒ５はフォーカス群であり、矢印ｍＦで示すように、近距離物体へのフォーカシングにおいて像側へ移動する。第５群Ｇｒ５は物体側に凸の負メニスカスレンズ１枚から成っており、レンズ面は両面とも球面である。第１，第２，第４，第５の実施の形態では、絞りＳＴは第２群Ｇｒ２の像側に位置しており、ズーミングにおいて第２群Ｇｒ２と共に移動する。第３の実施の形態では、絞りＳＴは第３群Ｇｒ３の像側に位置しており、ズーミングにおいて第３群Ｇｒ３と共に移動する。
【実施例】
【００４７】
以下、本発明を実施したズームレンズの構成等を、実施例のコンストラクションデータ等を挙げて更に具体的に説明する。ここで挙げる実施例１〜５（ＥＸ１〜５）は、前述した第１〜第５の実施の形態にそれぞれ対応する数値実施例であり、第１〜第５の実施の形態を表す光学構成図（図１，図１０，図１９，図２８，図３７）は、対応する実施例１〜５のレンズ構成をそれぞれ示している。
【００４８】
各実施例のコンストラクションデータでは、面データとして、左側の欄から順に、面番号，曲率半径ｒ（ｍｍ），軸上面間隔ｄ（ｍｍ），ｄ線（波長５８７．５６ｎｍ）に関する屈折率ｎｄ，ｄ線に関するアッベ数ｖｄを示す。面番号に＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ＣＵＲＶ・ｈ2）／［１＋√{１−（１＋Ｋ）・ＣＵＲＶ2・ｈ2}］＋Ａ・ｈ4＋Ｂ・ｈ6＋Ｃ・ｈ8＋Ｄ・ｈ10＋Ｅ・ｈ12＋Ｆ・ｈ14  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ＣＵＲＶ：面頂点での曲率（曲率半径ｒの逆数）、
Ｋ：円錐定数、
Ａ，Ｂ，Ｃ，Ｄ，Ｅ，Ｆ：非球面係数、
である。
【００４９】
各種データとして、ズーム比を示し、全系の焦点距離（ｆＬ，ｍｍ），画角（２ω，°），バックフォーカス（ＢＦ，ｍｍ），レンズ全長（ＴＬ，ｍｍ），Ｆナンバー（Ｆｎｏ．），及び像高（Ｙ’，ｍｍ）を各焦点距離状態Ｗ，Ｍ，Ｔについて示す。被写体無限遠状態及び被写体最近接状態における可変間隔データ（ｄｉ：可変の軸上面間隔，ｉ：面番号，ｄ０：被写体距離）を各焦点距離状態についてそれぞれ示し、ズームレンズ群データとして各レンズ群の焦点距離（ｍｍ）を示す。また、表１に各実施例の条件式対応値を示す。なお、バックフォーカスは、レンズ最終面から近軸像面までの距離を空気換算長により表記しており、レンズ全長は、レンズ最前面からレンズ最終面までの距離にバックフォーカスを加えたものである。
【００５０】
図２，図１１，図２０，図２９，図３８は、実施例１〜実施例５（ＥＸ１〜ＥＸ５）にそれぞれ対応する無限遠被写体に対する縦収差図であり、ワイド端（Ｗ，∞），中間焦点距離状態（Ｍ，∞），テレ端（Ｔ，∞）における諸収差（左から順に、球面収差，非点収差，歪曲収差である。）を示している。図６，図１５，図２４，図３３，図４２は、実施例１〜実施例５（ＥＸ１〜ＥＸ５）にそれぞれ対応する最近接被写体に対する縦収差図であり、ワイド端（Ｗ，Ｎ），中間焦点距離状態（Ｍ，Ｎ），テレ端（Ｔ，Ｎ）における諸収差（左から順に、球面収差，非点収差，歪曲収差である。）を示している。
【００５１】
縦収差図において、（Ａ），（Ｄ），（Ｇ）は球面収差図、（Ｂ），（Ｅ），（Ｈ）は非点収差図、（Ｃ），（Ｆ），（Ｉ）は歪曲収差図である。球面収差図は、実線で示すｄ線（波長５８７．５６ｎｍ）に対する球面収差量を、近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線はｄ線に対するタンジェンシャル像面、実線はｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、像面ＩＭにおける最大像高Ｙ’（撮像素子ＳＲの受光面ＳＳの対角長の半分）に相当する。
【００５２】
図３〜図５は、実施例１（ＥＸ１）のワイド端（Ｗ，∞），中間焦点距離状態（Ｍ，∞），テレ端（Ｔ，∞）における無限遠被写体に対する横収差図であり、図７〜図９は、実施例１（ＥＸ１）のワイド端（Ｗ，Ｎ），中間焦点距離状態（Ｍ，Ｎ），テレ端（Ｔ，Ｎ）における最近接被写体に対する横収差図である。図１２〜図１４は、実施例２（ＥＸ２）のワイド端（Ｗ，∞），中間焦点距離状態（Ｍ，∞），テレ端（Ｔ，∞）における無限遠被写体に対する横収差図であり、図１６〜図１８は、実施例２（ＥＸ２）のワイド端（Ｗ，Ｎ），中間焦点距離状態（Ｍ，Ｎ），テレ端（Ｔ，Ｎ）における最近接被写体に対する横収差図である。図２１〜図２３は、実施例３（ＥＸ３）のワイド端（Ｗ，∞），中間焦点距離状態（Ｍ，∞），テレ端（Ｔ，∞）における無限遠被写体に対する横収差図であり、図２５〜図２７は、実施例３（ＥＸ３）のワイド端（Ｗ，Ｎ），中間焦点距離状態（Ｍ，Ｎ），テレ端（Ｔ，Ｎ）における最近接被写体に対する横収差図である。図３０〜図３２は、実施例４（ＥＸ４）のワイド端（Ｗ，∞），中間焦点距離状態（Ｍ，∞），テレ端（Ｔ，∞）における無限遠被写体に対する横収差図であり、図３４〜図３６は、実施例４（ＥＸ４）のワイド端（Ｗ，Ｎ），中間焦点距離状態（Ｍ，Ｎ），テレ端（Ｔ，Ｎ）における最近接被写体に対する横収差図である。図３９〜図４１は、実施例５（ＥＸ５）のワイド端（Ｗ，∞），中間焦点距離状態（Ｍ，∞），テレ端（Ｔ，∞）における無限遠被写体に対する横収差図であり、図４３〜図４５は、実施例５（ＥＸ５）のワイド端（Ｗ，Ｎ），中間焦点距離状態（Ｍ，Ｎ），テレ端（Ｔ，Ｎ）における最近接被写体に対する横収差図である。
【００５３】
横収差図において、（Ａ）〜（Ｅ）はタンジェンシャル光束での横収差を示しており、（Ｆ）〜（Ｊ）はサジタル光束での横収差を示している。また、ＲＥＬＡＴＩＶＥ  ＦＩＥＬＤ  ＨＥＩＧＨＴで表されている像高比（半画角ω°）での横収差（ｍｍ）をｄ線（波長５８７．５６ｎｍ）について示している。なお像高比は、像高を最大像高Ｙ’で規格化した相対的な像高である。
【００５４】
実施例１
単位：mm
面データ
面番号          r         d         nd          vd
1*           79.233      2.00     1.69350     53.19
2*           12.750      7.22
3           137.602      1.20     1.72916     54.67
4            22.374      0.20     1.52030     51.10
5*           29.029      4.32
6          -188.011      1.54     1.61800     63.40
7            28.553      1.94
8            27.939      4.00     1.78472     25.72
9           690.445     20.43(可変)
10           25.598      1.20     1.84666     23.78
11           14.610      3.09     1.54814     45.82
12         -212.469      0.32
13          157.076      1.81     1.70154     41.15
14          -45.628      1.00
15(絞り)         ∞      3.45(可変)
16          -17.925      0.81     1.84666     23.78
17           72.044      2.33     1.92286     20.88
18          -25.789      8.54(可変)
19           48.756      3.57     1.49700     81.55
20          -15.175      0.80     1.83481     42.72
21          -22.032      0.10
22           62.181      0.80     1.83400     37.35
23           14.052      3.35     1.49700     81.55
24          -68.054      3.70(可変)
25           46.803      0.80     1.83481     42.72
26           24.345      2.31(可変)
27*          20.555      4.24     1.67790     54.89
28*         124.764     15.01
像面             ∞
【００５５】
非球面データ
第1面
CURV=0.01262103
K=13.739368
A=-1.11296E-05
B= 1.34353E-07
C=-3.04165E-10
D=-4.67021E-13
E= 2.67396E-15
F=-2.83699E-18
【００５６】
第2面
CURV=0.07842989
K=-0.145760
A=-9.09069E-05
B= 7.30580E-08
C= 1.17070E-09
D=-9.14845E-12
E=-6.00042E-15
F=-1.66231E-17
【００５７】
第5面
CURV=0.03444843
K= 0.000000
A= 8.06168E-05
B=-2.68663E-07
C= 2.08619E-09
D=-1.21987E-11
E= 0.00000E+00
F= 0.00000E+00
【００５８】
第27面
CURV=0.04865101
K= 0.000000
A=-5.27221E-06
B=-2.68468E-07
C= 1.76335E-09
D=-3.62503E-12
E=-2.32478E-14
F= 0.00000E+00
【００５９】
第28面
CURV=0.00801514
K= 0.000000
A= 1.67198E-05
B=-4.71716E-07
C= 3.76851E-09
D=-1.45311E-11
E= 1.25269E-15
F= 0.00000E+00
【００６０】
各種データ
ズーム比：2.12
(W)          (M)           (T)
fL              8.22         11.99         17.42
2ω           105.45         84.01         63.60
BF             15.01         15.04         15.01
TL            100.08         95.84         99.05
Fno              2.9           2.9           2.9
Y'             10.90         10.90         10.90
【００６１】
可変間隔データ（被写体距離：無限）
(W)          (M)           (T)
d0                ∞            ∞            ∞
d9            20.427         8.445         0.800
d15            3.447         6.228        10.987
d18            8.540         5.759         1.000
d24            3.699        10.418        19.209
d26            2.313         3.316         5.413
【００６２】
可変間隔データ（被写体距離：最近接）
(W)          (M)           (T)
d0               150           154           151
d9            20.427         8.445         0.800
d15            3.447         6.228        10.987
d18            8.540         5.759         1.000
d24            4.775        12.625        23.824
d26            1.238         1.108         0.798
【００６３】
ズームレンズ群データ
群     焦点距離
第1群    -15.38
第2群     29.40
第3群   -131.08
第4群     44.52
第5群    -61.78
第6群     35.71
【００６４】
実施例２
単位：mm
面データ
面番号          r         d         nd          vd
1*           75.931      2.00     1.69350     53.19
2*           12.495      6.65
3            60.272      1.20     1.72916     54.67
4            19.605      0.20     1.52030     51.10
5*           23.981      7.50
6           -45.772      2.10     1.61800     63.40
7            54.688      0.58
8            38.643      3.19     1.78472     25.72
9          -130.672     21.57(可変)
10           44.427      0.80     1.84666     23.78
11           17.521      2.32     1.54814     45.82
12           58.987      0.10
13           24.752      2.81     1.70154     41.15
14          -54.014      1.00
15(絞り)         ∞      6.26(可変)
16          -18.466      0.81     1.84666     23.78
17           22.007      3.21     1.92286     20.88
18          -29.041      6.03(可変)
19*        1196.723      1.50     1.58913     61.25
20          -51.955      0.40
21           44.793      3.69     1.49700     81.55
22          -13.796      0.80     1.83481     42.72
23          -23.637      0.10
24          -57.226      0.80     1.83400     37.35
25           20.009      3.69     1.49700     81.55
26          -26.848      3.89(可変)
27           41.742      0.80     1.83481     42.72
28           23.088      2.37(可変)
29*          21.934      4.58     1.67790     54.89
30*         238.241     14.80
像面             ∞
【００６５】
非球面データ
第1面
CURV=0.01316991
K= 7.482037
A= 0.459185E-05
B= 0.541045E-08
C= 0.351911E-10
D=-0.549133E-12
E= 0.180605E-14
F=-0.170436E-17
【００６６】
第2面
CURV=0.08003214
K=-0.210426
A=-0.683162E-04
B= 0.111033E-06
C=-0.189884E-08
D= 0.851970E-11
E=-0.572875E-13
F= 0.124260E-15
【００６７】
第5面
CURV=0.04169993
K= 0.000000
A= 0.688334E-04
B=-0.271848E-06
C= 0.439023E-08
D=-0.246342E-10
【００６８】
第19面
CURV=0.00083562
K= 0.000000
A=-0.104520E-04
B= 0.612169E-07
C=-0.504967E-09
D= 0.602189E-11
【００６９】
第29面
CURV=0.04559130
K= 0.000000
A=-0.521893E-05
B=-0.135225E-06
C=-0.228595E-09
D= 0.875987E-11
E=-0.606477E-13
F= 0.000000E+00
【００７０】
第30面
CURV=0.00419742
K= 0.000000
A= 0.119493E-04
B=-0.387829E-06
C= 0.278076E-08
D=-0.108982E-10
E=-0.904192E-14
F= 0.000000E+00
【００７１】
各種データ
ズーム比：2.12
(W)          (M)           (T)
fL              8.22         12.01         17.42
2ω           105.45         83.93         63.59
BF             14.80         14.83         14.80
TL            105.76        101.66        105.57
Fno              2.9           2.9           2.9
Y'             10.90         10.90         10.90
【００７２】
可変間隔データ（被写体距離：無限）
(W)          (M)           (T)
d0                ∞            ∞            ∞
d9            21.573         8.961         0.800
d15            6.261         8.398        11.292
d18            6.030         3.894         1.000
d26            3.893        11.294        21.185
d28            2.372         3.452         5.665
【００７３】
可変間隔データ（被写体距離：最近接）
(W)          (M)           (T)
d0               144           148           144
d9            21.573         8.961         0.800
d15            6.261         8.398        11.292
d18            6.030         3.894         1.000
d26            5.044        13.658        26.123
d28            1.222         1.089         0.727
【００７４】
ズームレンズ群データ
群     焦点距離
第1群    -15.30
第2群     29.93
第3群   -130.58
第4群     48.13
第5群    -63.12
第6群     35.33
【００７５】
実施例３
単位：mm
面データ
面番号          r         d         nd          vd
1*           87.083      1.98     1.70000     55.00
2*           10.875      3.91
3*           18.745      1.90     1.80007     46.87
4*           15.155      6.56
5           -45.989      2.44     1.70000     55.00
6           149.680      0.20
7            23.325      3.50     1.85878     28.00
8            33.333     13.35(可変)
9            31.158      0.80     1.80486     22.76
10           14.917      2.96     1.59416     38.11
11         -197.602      0.10
12           26.343      2.23     1.77239     49.70
13         -173.593      3.50(可変)
14          -41.118      0.70     1.81470     43.25
15           41.376      0.62
16         1281.624      0.50     1.88300     40.80
17           18.344      2.18     1.75845     23.95
18          -52.109      0.60
19(絞り)         ∞      9.16(可変)
20           91.992      4.02     1.49700     81.55
21          -11.515      0.90     1.70789     28.12
22          -20.009      0.10
23           20.356      0.80     1.87115     33.28
24           14.858      4.24     1.49700     81.55
25          -98.534      1.76(可変)
26           41.386      0.80     1.72829     27.13
27           21.230      3.66(可変)
28*          25.880      3.40     1.48749     70.44
29          763.094     15.49
像面             ∞
【００７６】
非球面データ
第1面
CURV=0.01148336
K=-5.603084
A= 2.80282E-05
B=-5.29063E-08
C= 5.24859E-11
D= 4.71350E-15
【００７７】
第2面
CURV=0.09195456
K=-0.598706
A=-7.94066E-05
B= 2.33534E-07
C=-1.02174E-09
D=-4.54489E-12
【００７８】
第3面
CURV=0.05334825
K= 0.000000
A=-1.67460E-05
B=-1.32167E-07
C=-3.41011E-10
D=-1.40790E-12
【００７９】
第4面
CURV=0.06598568
K= 0.000000
A= 8.24175E-05
B=-2.12119E-08
C=-7.29027E-10
D= 6.39893E-12
【００８０】
第28面
CURV=0.03864009
K= 0.000000
A=-2.47977E-05
B= 1.19542E-07
C=-1.37453E-09
D= 5.26763E-12
【００８１】
各種データ
ズーム比：2.12
(W)          (M)           (T)
fL              8.20         11.96         17.37
2ω           105.58         84.16         63.73
BF             15.49         15.55         15.49
TL             92.37         89.82         92.51
Fno              2.9           2.9           2.9
Y'             10.85         10.85         10.85
【００８２】
可変間隔データ（被写体距離：無限）
(W)          (M)           (T)
d0                ∞            ∞            ∞
d8            13.345         5.873         0.800
d13            3.503         7.855        11.960
d19            9.158         4.805         0.700
d25            1.762         5.540        13.298
d27            3.659         4.753         4.822
【００８３】
可変間隔データ（被写体距離：最近接）
(W)          (M)           (T)
d0               158           160           157
d8            13.345         5.873         0.800
d13            3.503         7.855        11.960
d19            9.158         4.805         0.700
d25            2.490         7.020        16.573
d27            2.932         3.273         1.546
【００８４】
ズームレンズ群データ
群     焦点距離
第1群    -11.98
第2群     21.22
第3群    -33.32
第4群     22.29
第5群    -60.87
第6群     54.87
【００８５】
実施例４
単位：mm
面データ
面番号          r         d         nd          vd
1            34.972      1.70     1.78402     48.41
2            12.884      6.00
3*           27.027      2.50     1.75155     51.87
4*           14.031      6.93
5           -44.661      2.40     1.72916     54.67
6            55.696      0.10     1.51380     52.97
7*           50.113      2.45
8            39.060      3.43     1.78472     25.72
9          -121.733     22.66(可変)
10           29.156      0.80     1.84666     23.78
11           17.514      4.06     1.54814     45.82
12          -78.705      0.26
13          321.349      1.64     1.70154     41.15
14          -64.906      1.00
15(絞り)         ∞      3.30(可変)
16          -20.927      0.80     1.51680     64.20
17          -37.413      0.60
18           60.351      0.75     1.83481     42.72
19           22.623      2.50     1.62230     53.17
20         -204.803      8.51(可変)
21          165.362      3.17     1.49700     81.55
22          -16.290      0.80     1.83481     42.72
23          -23.311      0.10
24           51.013      0.80     1.83400     37.35
25           15.212      3.25     1.49700     81.55
26          -78.408      3.51(可変)
27           36.141      0.80     1.83481     42.72
28           20.537      2.11(可変)
29*          20.549      4.08     1.67790     54.89
30*         125.000     15.08
像面             ∞
【００８６】
非球面データ
第3面
CURV=0.03700000
K= 0.000000
A= 1.80823E-04
B=-1.76441E-06
C= 1.36220E-08
D=-5.85875E-11
E= 1.14789E-13
F=-7.60640E-18
【００８７】
第4面
CURV=0.07127308
K= 0.000000
A= 1.70888E-04
B=-2.58692E-06
C= 1.57745E-08
D=-6.12314E-11
E= 0.00000E+00
F= 0.00000E+00
【００８８】
第7面
CURV=0.01995492
K= 0.000000
A= 9.19851E-06
B= 1.35424E-07
C=-1.34501E-09
D= 6.65617E-12
E= 1.55707E-24
F=-1.92140E-28
【００８９】
第29面
CURV=0.04866314
K= 0.000000
A=-5.13239E-06
B=-6.34169E-08
C= 5.03313E-10
D=-5.39179E-12
E= 0.00000E+00
F= 0.00000E+00
【００９０】
第30面
CURV=0.00800000
K= 0.000000
A= 1.20867E-05
B=-2.03339E-07
C= 2.12433E-09
D=-1.78927E-11
E= 3.58232E-14
F= 0.00000E+00
【００９１】
各種データ
ズーム比：2.12
(W)          (M)           (T)
fL              8.22         11.99         17.42
2ω           105.45         84.02         63.61
BF             15.08         15.12         15.07
TL            106.09        101.16        104.33
Fno              2.9           2.9           2.9
Y'             10.85         10.85         10.85
【００９２】
可変間隔データ（被写体距離：無限）
(W)          (M)           (T)
d0                ∞            ∞            ∞
d9            22.665         9.473         0.800
d15            3.301         6.394        10.611
d20            8.510         5.417         1.200
d26            3.511        10.809        20.716
d28            2.114         3.037         5.024
【００９３】
可変間隔データ（被写体距離：最近接）
(W)          (M)           (T)
d0               144           149           146
d9            22.665         9.473         0.800
d15            3.301         6.394        10.611
d20            8.510         5.417         1.200
d26            4.553        12.939        25.177
d28            1.071         0.907         0.563
【００９４】
ズームレンズ群データ
群     焦点距離
第1群    -15.55
第2群     32.26
第3群   -328.80
第4群     53.04
第5群    -58.34
第6群     35.71
【００９５】
実施例５
単位：mm
面データ
面番号          r         d         nd          vd
1*           52.220      1.70     1.69350     53.19
2*           10.081      7.26
3            28.445      1.20     1.69680     55.46
4            18.076      0.10     1.52030     51.10
5*           16.591      5.98
6           -40.065      1.06     1.69680     55.46
7           130.708      0.73
8            38.895      3.50     1.78472     25.72
9          -109.203     21.97(可変)
10           26.977      0.80     1.84666     23.78
11           16.516      3.18     1.54814     45.82
12          -82.127      0.21
13          245.045      1.55     1.70154     41.15
14          -76.459      1.00
15(絞り)         ∞      2.39(可変)
16          -21.760      0.80     1.51680     64.20
17          -39.615      0.60
18           67.238      0.75     1.83481     42.72
19           23.468      2.42     1.62230     53.17
20         -143.169      9.10(可変)
21               ∞      2.96     1.49700     81.55
22          -15.857      0.80     1.83481     42.72
23          -23.338      0.10
24           45.963      0.80     1.83400     37.35
25           15.884      3.24     1.49700     81.55
26          -58.588      3.44(可変)
27           43.290      0.80     1.83481     42.72
28           22.799      1.99(可変)
29*          20.665      4.02     1.67790     54.89
30          130.009     15.20
像面             ∞
【００９６】
非球面データ
第1面
CURV=0.01914976
K= 5.844733
A= 1.72010E-06
B= 1.13630E-08
C=-2.07244E-10
D= 1.20596E-13
E= 1.47039E-15
F=-3.27849E-18
【００９７】
第2面
CURV=0.09919719
K=-0.430925
A=-3.36213E-05
B=-1.34005E-08
C= 4.27108E-09
D=-5.11414E-11
E= 1.86431E-13
F=-1.70694E-17
【００９８】
第5面
CURV=0.06027273
K= 0.000000
A= 2.42786E-05
B=-4.16603E-07
C= 1.84618E-09
D=-1.76082E-11
【００９９】
第29面
CURV=0.04839075
K= 0.000000
A=-1.42471E-05
B= 3.18352E-08
C=-1.91694E-10
D= 4.51101E-13
【０１００】
各種データ
ズーム比：2.12
(W)          (M)           (T)
fL              8.22         11.99         17.42
2ω           105.45         84.02         63.61
BF             15.20         15.25         15.21
TL             99.66         95.06         98.38
Fno              2.9           2.9           2.9
Y'             10.85         10.85         10.85
【０１０１】
可変間隔データ（被写体距離：無限）
(W)          (M)           (T)
d0                ∞            ∞            ∞
d9            21.971         9.208         0.800
d15            2.385         5.725        10.281
d20            9.096         5.756         1.200
d26            3.438        10.644        20.485
d28            1.989         2.893         4.827
【０１０２】
可変間隔データ（被写体距離：最近接）
(W)          (M)           (T)
d0               150           155           152
d9            21.971         9.208         0.800
d15            2.385         5.725        10.281
d20            9.096         5.756         1.200
d26            4.459        12.737        24.880
d28            0.968         0.799         0.433
【０１０３】
ズームレンズ群データ
群     焦点距離
第1群    -15.50
第2群     32.00
第3群   -378.95
第4群     49.47
第5群    -58.74
第6群     35.71
【０１０４】
【表１】
0005699950.tif 000002
【符号の説明】
【０１０５】
ＤＵ    デジタル機器
ＬＵ    撮像光学装置
ＺＬ    ズームレンズ
Ｇｒ１    第１群
Ｇｒ２    第２群
Ｇｒ３    第３群
Ｇｒ４    第４群
Ｇｒ５    第５群
Ｇｒ６    第６群
ＳＴ    絞り（開口絞り）
ＳＲ    撮像素子
ＳＳ    受光面（撮像面）
ＩＭ    像面（光学像）
ＡＸ    光軸
１    信号処理部
２    制御部
３    メモリ
４    操作部
５    表示部
【図１】
0005699950.tif 000003
【図２】
0005699950.tif 000004
【図３】
0005699950.tif 000005
【図４】
0005699950.tif 000006
【図５】
0005699950.tif 000007
【図６】
0005699950.tif 000008
【図７】
0005699950.tif 000009
【図８】
0005699950.tif 000010
【図９】
0005699950.tif 000011
【図１０】
0005699950.tif 000012
【図１１】
0005699950.tif 000013
【図１２】
0005699950.tif 000014
【図１３】
0005699950.tif 000015
【図１４】
0005699950.tif 000016
【図１５】
0005699950.tif 000017
【図１６】
0005699950.tif 000018
【図１７】
0005699950.tif 000019
【図１８】
0005699950.tif 000020
【図１９】
0005699950.tif 000021
【図２０】
0005699950.tif 000022
【図２１】
0005699950.tif 000023
【図２２】
0005699950.tif 000024
【図２３】
0005699950.tif 000025
【図２４】
0005699950.tif 000026
【図２５】
0005699950.tif 000027
【図２６】
0005699950.tif 000028
【図２７】
0005699950.tif 000029
【図２８】
0005699950.tif 000030
【図２９】
0005699950.tif 000031
【図３０】
0005699950.tif 000032
【図３１】
0005699950.tif 000033
【図３２】
0005699950.tif 000034
【図３３】
0005699950.tif 000035
【図３４】
0005699950.tif 000036
【図３５】
0005699950.tif 000037
【図３６】
0005699950.tif 000038
【図３７】
0005699950.tif 000039
【図３８】
0005699950.tif 000040
【図３９】
0005699950.tif 000041
【図４０】
0005699950.tif 000042
【図４１】
0005699950.tif 000043
【図４２】
0005699950.tif 000044
【図４３】
0005699950.tif 000045
【図４４】
0005699950.tif 000046
【図４５】
0005699950.tif 000047
【図４６】
0005699950.tif 000048